(57)【要約】      （修正有）【課題】構造が簡単で抜き差しの容易な記録ディスク用薄型収納ケースを提供する。【解決手段】シート部材１１Ｓの中央に一側端縁から対向する他側端縁に渡って複数本の挟持部用折り曲げ線ａを平行して設けるとともにこれと直交し前端縁から後端縁に渡って平行する二本の側縁部用折り曲げ線ｂを設ける。さらに前記複数本の折り曲げ線ａのうち最外側と側縁部用折り曲げ線ｂとの交点位置から周側縁まで斜めに支持板用折り込み線ｃを設ける。そして挟持部用折り曲げ線ａに沿って折り曲げるとともにその両端部を側縁部用折り曲げ線ｂの位置で上方に屈曲させ、略コ字形の蛇腹状挟持部１２と前後二枚の壁板１５・１６と支持部１７とを形成する。さらに支持板用折り込み線ｃに沿って折り癖をつけ、壁板１５・１６を閉じた時に支持板１７が内側に折り込まれるようにする。【選択図】図２
2014015216.tif 000002
【特許請求の範囲】
【請求項１】
記録ディスクを収納するためのケースであって、
一辺が開閉自在に連設された略矩形状の二枚の壁板と、
該二枚の壁板の連設部両端側にそれぞれ立設された一対の対向する挟持部と、
該一対の挟持部の各々から前記二枚の壁板に渡ってそれぞれ一対ずつ架設された支持板と、からなり、
前記挟持部は、柔軟性を有する素材からなるニ枚の挟持板で構成され挟持部間に収納された記録ディスクの周縁部を両面から支持し、かつ前記二枚の壁板が閉じた状態にあるときにはこの二枚の壁板によって押圧されて記録ディスクを挟持固定するものであって、
前記支持板は、前記二枚の壁板が開いた状態にあるときには前記一対の挟持部を前後方向両側からそれぞれ引っ張ることによってこれを立設状態に支持し、閉じた状態にあるときには、内側に折り込まれて前記二枚の壁板間に収容されることを特徴とする収納ケース。
【請求項２】
前記収納ケースが、一枚のシート部材を折り曲げることによって形成されたものであって、
該シート部材の前後方向略中央部には、幅方向一側端縁から対向する他側端縁に渡って挟持部を形成するための挟持部用折り曲げ線が山折りと谷折りと交互に平行して設けられるとともに、
前記挟持部用折り曲げ線と直交しシートの幅方向略中央部に前後方向一端縁から他端縁に渡って記録ディスクの直径よりもやや大きな間隔をもって平行する二本の側縁部用折り曲げ線が設けられることによって、
一対の対向する挟持部と、該両挟持部の間に連設される底側連結部と、該底側連結部の前後にそれぞれ連設される二枚の壁板と、これら二枚の壁板のそれぞれの側縁に連設されるとともにお互いも前記挟持部を介して連設される支持板と、が区画形成され、
前記平行に設けられた複数本の挟持部用折り曲げ線のうち前後方向それぞれの最外側寄りに位置する折り曲げ線と、側縁部用折り曲げ線と、の交点位置から前記支持板の周側縁に渡って斜め方向に支持板用折り込み線が設けられ
前記挟持部用折り曲げ線と側縁部用折り曲げ線に沿ってシート部材を折り曲げることによって、略コ字形に連設された蛇腹状の挟持部および底側連結部と、前後二枚の壁板と、支持部と、を形成し、前記支持板用折り込み線に沿って折り癖をつけることによって、前記二枚の壁板を閉じた時に支持板がこの壁板の内側にそれぞれ折り込まれるようにしたことを特徴とする請求項１に記載の収納ケース。
【請求項３】
前記二枚の壁板に、補強用補助板がそれぞれ付設されたことを特徴とする請求項１または２に記載の収納ケース。
【請求項４】
前記挟持部を構成する二枚の挟持板のうち一方が他方よりも幅広に形成されることによって他方よりも幅方向内側に突出し、記録ディスクを差し込む際の案内役となることを特徴とする請求項１ないし３いずれかに記載の収納ケース。
【請求項５】
前記二枚の壁板のうち一方の壁板の内側に、蓋部本体とこの蓋部本体からヒンジ部を介して延設される上蓋部と前蓋部とを有する蓋部をスライド可能に差し込み、二枚の壁板を閉じた時に、他方の壁板の内側に前記蓋部の前蓋部を差し込むことで開閉動作がロックされることを特徴とする請求項１ないし４いずれかに記載の収納ケース
【発明の詳細な説明】
【技術分野】
【０００１】
本発明は、収納ケースに関し、さらに詳しくはＣＤやＤＶＤなどの記録ディスク用収納ケースに関する。
【背景技術】
【０００２】
この種の収納ケースで、対向する２つの側壁を蛇腹状に形成することによって該側壁間に記録ディスクを挟持可能としたものとしては、特許文献１や特許文献２に開示されている提案がある。
【０００３】
このうち特許文献１の提案は、一枚の紙を上方が開口する袋状に形成し、その側壁部分を蛇腹状に折り返すものとしている。よって一枚や二枚といった比較的少ない枚数の収納に適しており、安価で製造することができ廃棄も容易であるという利点を有する。また、特許文献２の提案は、長尺な帯状のシートに多数の折り返しを設けることによって断面視略コ字形状の蛇腹体を形成し、これの伸縮方向両端部を開閉自在に連設した２枚の壁板で塞ぐものとしている。よって、多くの枚数の収納に適しており、二枚の壁板を大きく開くことができるために記録ディスクの出し入れが簡単であるという利点を有する。
【先行技術文献】
【特許文献】
【０００４】
【特許文献１】特開平７−１３７７８０号公報
【特許文献２】特開２００３−３１２７６９号公報
【発明の概要】
【発明が解決しようとする課題】
【０００５】
しかしながら、特許文献１に開示されている提案は、蛇腹部の折り返しが少ないために開口部を大きく開くことができず、記録ディスクが取り出しにくいという欠点があった。また、特許文献２に開示されている提案は、蛇腹部の折り返しが多いために開口部を大きく開くことができるものの、収納ケースを閉じた時に厚みが生じて嵩張り、少枚数収納用としては不向きであるという欠点があった。
【０００６】
本発明は、かかる従来の収納ケースの問題点を鑑みてなされたもので、その目的は、構造が簡単で安価で製造することができ、しかも記録ディスクの出し入れが容易な少枚数用薄型収納ケースを提供することにある。
【課題を解決するための手段】
【０００７】
かかる目的を達成するために本発明の収納ケースは、記録ディスクを収納するためのケースであって、
一辺が開閉自在に連設された略矩形状の二枚の壁板と、
該二枚の壁板の連設部両端側にそれぞれ立設された一対の対向する挟持部と、
該一対の挟持部の各々から前記二枚の壁板に渡ってそれぞれ一対ずつ架設された支持板と、からなり、
前記挟持部は、柔軟性を有する素材からなるニ枚の挟持板で構成され挟持部間に収納された記録ディスクの周縁部を両面から支持し、かつ前記二枚の壁板が閉じた状態にあるときにはこの二枚の壁板によって押圧されて記録ディスクを挟持固定するものであって、
前記支持板は、前記二枚の壁板が開いた状態にあるときには前記一対の挟持部を前後方向両側からそれぞれ引っ張ることによってこれを立設状態に支持し、閉じた状態にあるときには、内側に折り込まれて前記二枚の壁板間に収容されることを特徴としている。
【０００８】
こうした構成をとることによって、記録ディスクの周縁部を挟持固定するタイプの薄型収納ケースでありながらも二枚の壁板を全開することが可能となり、しかも、その際には記録ディスクを支持する挟持部が立設するので記録ディスクの抜き差しが容易となる利点が生じる。
【０００９】
なお、ここでの全開とは二枚の壁板のなす角度が略１８０°の状態をいい、同様に、前後方向とは、収納する記録ディスクを立てた状態を基準として厚み方向を指し、幅方向とは該記録ディスクの径方向のうち水平な方向を指すものとしている。
【００１０】
また、前記収納ケースが、一枚のシート部材を折り曲げることによって形成されたものであって、
該シート部材の前後方向略中央部には、幅方向一側端縁から対向する他側端縁に渡って挟持部を形成するための挟持部用折り曲げ線が山折りと谷折りと交互に平行して設けられるとともに、
前記挟持部用折り曲げ線と直交しシートの幅方向略中央部に前後方向一端縁から他端縁に渡って記録ディスクの直径よりもやや大きな間隔をもって平行する二本の側縁部用折り曲げ線が設けられることによって、
一対の対向する挟持部と、該両挟持部の間に連設される底側連結部と、該底側連結部の前後にそれぞれ連設される二枚の壁板と、これら二枚の壁板のそれぞれの側縁に連設されるとともにお互いも前記挟持部を介して連設される支持板と、が区画形成され、
前記平行に設けられた複数本の挟持部用折り曲げ線のうち前後方向それぞれの最外側寄りに位置する折り曲げ線と、側縁部用折り曲げ線と、の交点位置から前記支持板の周側縁に渡って斜め方向に支持板用折り込み線が設けられ
前記挟持部用折り曲げ線と側縁部用折り曲げ線に沿ってシート部材を折り曲げることによって、略コ字形に連設された蛇腹状の挟持部および底側連結部と、前後二枚の壁板と、支持部と、を形成し、前記支持板用折り込み線に沿って折り癖をつけることによって、前記二枚の壁板を閉じた時に支持板がこの壁板の内側にそれぞれ折り込まれるようにしたものであってもよい。
【００１１】
こうした構成をとることによって、材料が一枚のシート部材だけで済み、低コストで製造できるという利点が生じる。
【００１２】
また、前記二枚の壁板には補強用の補助板をそれぞれ付設してもよい。
【００１３】
こうした構成をとると、壁板を掴んだ時に撓みが生じるのを防ぐことができ、開閉作業をよりスムーズにおこなえるという利点が生じる。
【００１４】
また、前記挟持部を構成する二枚の挟持板のうち一方が他方よりも幅広に形成されることによって他方よりも幅方向内側に突出し、記録ディスクを差し込む際の案内役となるようにしてもよい。
【００１５】
こうした構成をとることによって、より記録ディスクが差し込みやすくなるという利点が生じる。
【００１６】
また、前記二枚の壁板のうち一方の壁板の内側に、蓋部本体とこの蓋部本体からヒンジ部を介して延設される上蓋部と前蓋部とを有する蓋部をスライド可能に差し込み、二枚の壁板を閉じた時に、他方の壁板の内側に前記蓋部の前蓋部を差し込むことで開閉動作がロックされるようにしてよい。
【００１７】
こうした構成をとることによって、簡単な作業で収納ケースのロックが可能となるという利点が生じる。
【発明の効果】
【００１８】
本発明によれば、構造が簡単で安価で製造することができ、しかも記録ディスクの出し入れが容易な少枚数用薄型収納ケースを提供することができる。
【図面の簡単な説明】
【００１９】
【図１】本発明にかかる収納ケースの第１実施形態を示す斜視図。
【図２】同、（ａ）はケース本体の展開図、（ｂ）は分解斜視図。
【図３】同、記録ディスクを収納する過程を示す説明図。
【図４】本発明にかかる収納ケースの第１実施形態の変形例１を示しており、（ａ）はケース本体の展開図、（ｂ）は斜視図。
【図５】本発明にかかる収納ケースの第１実施形態の変形例２を示しており、（ａ）はケース本体の展開図、（ｂ）は斜視図。
【図６】同、（ａ）は挟持部の正面図、（ｂ）は（ａ）におけるＡ−Ａ線端面図、（ｃ）は貼着ポイントの説明図。
【図７】本発明にかかる収納ケースの第１実施形態の変形例３を示しており、（ａ）は分解斜視図、（ｂ）は組み立てた状態の斜視図。
【図８】本発明にかかる収納ケースの第２実施形態を示しており、（ａ）は分解斜視図、（ｂ）は組み立てた状態の斜視図。
【図９】同、展開図。
【図１０】同、ロック解除の説明図であり、（ａ）は閉じた状態を示す斜視図、（ｂ）はその側面概念図、（ｃ）は蓋部を上げた状態を示す斜視図、（ｄ）はその側面概念図。
【図１１】同、動作説明図であり、（ａ）は収納ケースを開きかけた状態を示す斜視図、（ｂ）は側面概念図。
【図１２】本発明にかかる収納ケースの第３実施形態を示す分解斜視図。
【図１３】同、展開図。
【図１４】同、組み合わせ途中の斜視図。
【図１５】同、組み合わせた状態を示す斜視図。
【図１６】同、閉じた状態を示す斜視図。
【発明を実施するための形態】
【００２０】
以下、本発明にかかる収納ケースの実施形態を図に基づき説明するが、これに限定されるものではない。
【００２１】
≪第１実施形態≫
図１ないし図３は本発明にかかる収納ケースの第１実施形態を示しており、図１は斜視図、図２の（ａ）はケース本体の展開図、（ｂ）は分解斜視図、図３は記録ディスクの収納過程説明図である。
【００２２】
図において、収納ケース１０は、紙、合成紙、不織布、合成樹脂などからなる薄手のシート部材１１Ｓを折り曲げて形成されたケース本体１１と、該ケース本体１１を補強するための厚手の板紙からなる前部補助板７１および後部補助板７２と、で構成されている。
【００２３】
ケース本体１１について、図２（ａ）に示す展開図に基づき、さらに詳しく説明する。なお、ここでは便宜上、展開図の向かって左側を前方、右側を後方としている。また、前後方向内側寄り、外側寄りとは、前後方向中央部に位置する支持部を基準としてこれに近い方を内側寄り、遠い方を外側寄りとしたものである。これは以降の実施形態についても同様とする。
【００２４】
図において、ケース本体１１を展開した状態であるシート部材１１Ｓの前後方向略中央部には、このシート部材１１Ｓの幅方向一側端縁から対向する他側端縁に渡って挟持部１２を形成するための挟持部用折り曲げ線ａが山折りと谷折りと交互に平行して設けられており、さらに、これらの挟持部用折り曲げ線ａと直交する方向にも、幅方向略中央部に前後方向一側端縁から対向する他側端縁に渡って、収納する記録ディスクＤの直径よりもやや大きな間隔をもって平行する二本の側縁部用折り曲げ線ｂが設けられている。なお、展開図中の一点鎖線は山折り線、破線は谷折り線を示しているが、ここでは煩雑さを避けるためにこれらを総称して折り曲げ線として説明する。
【００２５】
シート部材１１Ｓは、この交差する前記挟持部用折り曲げ線ａと側縁部用折り曲げ線ｂとによって、幅方向両側に対向して位置する二つの挟持部１２・１２、該挟持部１２・１２の間に連設された底側連結部１３、前壁板１５および後壁板１６、これら前後壁板１５・１６のそれぞれの側縁と挟持部１２の前端縁もしくは後端縁とに斜辺を除く二辺が連設された略三角形状の４つの支持板１７、とに区画形成されている。
【００２６】
さらに、前記平行に設けられた複数本の挟持部用折り曲げ線ａのうち前後方向それぞれの最外側寄りに位置する折り曲げ線ａと側縁部用折り曲げ線ｂとの交点位置からは、側縁部用折り曲げ線ｂに対し略４５°の角度をもって周側端縁に渡る支持板用折り込み線ｃが設けられ、同様に前記交点位置から前後方向で対向する位置にある交点に向かっては、側縁部用折り曲げ線ｂに対し４５°の角度をもち挟持用折り曲げ線ａに達するごとにその角度方向を反転してジグザクに進む挟持部立設用折り込み線ｄが設けられている。
【００２７】
また、平行する二本の側縁部用折り曲げ線ｂのそれぞれの後端側がシート部材１１Ｓの後端縁に達した点同士を結んで上蓋用折り曲げ線ｅが設けられており、この折り曲げ線ｅを介して蓋部１８が延設されている。この蓋部１８は、詳しくは、収納ケース１０の厚み分だけの前後幅を有する上蓋１８ａと、該上蓋１８ａから前蓋用折り曲げ線ｆを介して延設される前蓋１８ｂと、この前蓋１８ｂの先端縁略中央部に蓋部１８が不用意に開かないために舌辺状に形成されたロック用の差し込み片１８ｃと、からなるもので、この差し込み片１８ｃに対応する前壁板１５側の当該位置にはスリット状の差し込み口１５ｃが切り欠かれている。
【００２８】
ケース本体１１は、以上のように構成されたシート部材１１Ｓを、挟持部用折り曲げ線ａおよび挟持部立設用折り込み線ｄに沿って折り曲げることで挟持部１２・１２とこの間に位置する底側連結部１３とを略コ字形状の蛇腹構造に形成し、さらに側縁部用折り曲げ線ｂに沿って支持板１７を内側に折り曲げることで組み立てられる。
さらに、支持板１７には、前後壁板１５・１６が閉じられたときに内側に向かって自然と折り込まれるよう支持板用折り込み線ｃに沿った折り癖をつけておく。同様に、上蓋用折り曲げ線ｅと前蓋用折り曲げ線ｆに沿っても折り癖をつけておき、蓋部１８が閉じやすいようにしておく。
【００２９】
図２（ｂ）は、こうして折り曲げ形成されたケース本体１１と、このケース本体１１の前壁板１５および後壁板１６の内側に差し込むための補強用の前部補助板７１および後部補助板７２とを示している。
【００３０】
このうち前部補助板７１および後部補助板７２は、シート部材１１Ｓが薄手であるために開閉時に前壁板１５や後壁板１６を掴んだ際に撓んで掴みにくい、といった不都合が生じるのを防いで確実に掴むことができるようにするためのもので、シート部材１１Ｓよりも厚手の紙、合成紙、不織布、合成樹脂などからなるものである。
用途としては補強用に限定されるものではなく、例えばインデックスシートなどとして使用することもできる。また、この差し込み場所には補助板だけでなく写真やデータ等を記した紙などを挟み込むこともできる。
なお、以降は煩雑さを防ぐために前部補助板７１と後部補助板７２とを総称して補助板７１・７２、前壁板１５と後壁板１６とを総称して壁板１５・１６とすることもある。
【００３１】
以上のように構成された収納ケース１０は、次のようにして使用する。
【００３２】
〈第１段階として、収納ケース１０を開く場合〉
前後の壁板１５・１６を掴み、外側に向かって開いていく。これら壁板１５・１６の内側には前記したように補助板７１・７２がそれぞれ差し込まれて重なった状態となっている。したがって、ケース本体１１が薄手のシート部材１１Ｓからなるものであっても撓むことなく容易に開くことができる。また、この開いていく際、前後方向中央の幅方向両側にそれぞれ位置する挟持部１２は、各々が前後から支持板１７によって支持されているため、これらのバランスによって常に前後方向中央に立設した状態を保っている。
【００３３】
〈第２段階として、壁板１５・１６が全開状態にあるとき〉
この場合においても、支持板１７は、支持板用折り込み線ｃにつけられた折り癖によってなおも内側に向かって折り曲がろうとし、挟持部１２を引っ張っている。したがって、挟持部１２は前後方向にやや開かれた状態となって記録ディスクＤを容易に差し込むことができる。また、この全開状態にあるとき、壁板１５・１６の上側には補助板７１・７２がそれぞれ上側に重なった格好となっている。そのため、記録ディスクＤを収納した状態で収納ケース１０を机上などに置き、手を離したとしても、これら補助板７１・７２が重しの役割を果たして、挟持部１２は立設した状態を保ったまま倒れることはない。
なお、このような重しの役割を与える際にも特別な措置を講じる必要はなく、坪量３５０〜４５０／ｍ2程度の一般的なコートボール紙などを壁板１５・１６の形状に合わせて切断した大きさのものであれば充分その目的を果たすことができる。
【００３４】
このように壁板１５・１６の内側に補助板７１・７２を具備しておくことで、開閉時に壁板１５・１６が掴みやすくなるだけでなく、その重みによって全開時においても挟持部１２を立設状態に保つことができ、収納ケース１０を手で保持しておかなくとも記録ディスクＤの抜き差しをおこなうことができるという利点が生じる。
【００３５】
〈第３段階として、収納ケース１０を閉じる場合〉
壁板１５・１６を閉じると、該壁板１５・１６と折り込まれた支持板１７とによって記録ディスクＤを収納している挟持部１２が前後から押圧され、記録ディスクＤは挟持固定される。この状態で蓋部１８に形成されている前蓋１８ｂを内側にやや曲げながら差し込み片１８ｃを前壁板１５側に切り欠かれた差し込み口１５ｃに挿入する。これによって、収納ケース１０はロック状態となって不用意に開くことがなくなり、持ち運びや保管のし易い状態となる。
【００３６】
以上、説明したように、本発明の収納ケース１０は、組立が簡単であるとともに、記録ディスクＤの抜き差しも容易におこなうことができるという利点を有している。
【００３７】
なお、ここでは略コ字形状に連設された底側連結部１３と挟持部１２とのなす角度が直角になるように挟持部立設用折り込み線ｄの角度を側縁部用折り曲げ線ｂに対し４５°のものとしているが、これに限定されるものではなく、例えば４５°よりも大きいものとしてもよい。この場合、対向する挟持部１２・１２の上端部がお互いに近づく方向に傾くことになり、一度差し込んだ挟持部Ｄが不用意に抜けることがなくなるという利点が生じる。
【００３８】
≪第１実施形態の変形例１≫
図４は第１実施形態の変形例１を示したもので（ａ）はケース本体の展開図、（ｂ）は斜視図である。
【００３９】
ここでは挟持部用折り曲げ線ａの本数を増やし、記録ディスクＤが二枚収納可能なものとしている。このように本発明では、挟持部用折り曲げ線ａの数を増やすといった簡単な設計変更で容易に収納枚数を増やすことができる。ただ、シート部材１１Ｓの強度との兼ね合いもあることからあまり多くを収納することは適当ではなく、この図のように二枚とするか、多くとも三枚程度が望ましい。
なお、挟持部１２は記録ディスクＤの収納に限定されるものではなく、例えば一方の挟持部１２に記録ディスクＤを、他方に写真や記念のプレートを収納する、といった形態をとるものであってもよい。
【００４０】
≪第１実施形態の変形例２≫
図５および図６は第１実施形態の変形例２を示したもので、図５（ａ）はケース本体の展開図、（ｂ）は斜視図、図６（ａ）は正面図、（ｂ）は（ａ）におけるＡ−Ａ線端面図、（ｃ）は貼着方法の説明図である。
【００４１】
ここでは挟持部１２を略コ字形状に立設するための挟持部立設用折り込み線ｄは設けられておらず、図５（ａ）に示すように内側に折り込まれる部分を三角形状に切り取って空隙Ｋを形成したものとしている。このように立設用の折り込み部分をなくすことで、より単純な折り曲げ作業で挟持部１２を蛇腹形状にすることができる。ただし、このような構成とした場合、そのままでは挟持部１２が固定されずに幅方向外側に倒れてしまうため、底側挟持部１３と交差する（図６（ｃ）ハッチング部Ｈ参照）部分を糊代として貼着し倒れないようにしておく必要が生じる。
【００４２】
また、図６（ｂ）にＡ−Ａ線端面図として示すように、支持部１２の蛇腹状折り返し面の背側同士を貼り合わせるようにしてもよい。こうすることによって、収納ケース１０が閉じられた状態にあるときに挟持部１２が折り曲げ部の復元力によって膨らもうとするのを防ぐことができ、よりスリムに保管することができる。これは、挟持部１２はそのままとし、底側挟持部１３のみを貼着するものであってもよい。
なお、貼着していなくとも多数の収納ケース１０を並べて収納するようにすれば、お互いが押圧されることになるので、このような処置は特に必要なものではない。
【００４３】
また、この変形例２では、挟持部１２を構成するための挟持部用折り曲げ線ａが等間隔ではなく、前側の挟持部用折り曲げ線ａの間隔Ｗ１よりも後側の挟持部用折り曲げ線ａの間隔Ｗ２ほうが間隔を広くとられている。このようにすると、図６（ａ）および（ｂ）に示すように挟持部１２を構成する前後二枚の挟持板１２ａ・１２ｂのうち後側の挟持板１２ｂのほうが内側に突出する形態となり、記録ディスクＤを差し込むときの案内板の役割を果たして差し込みがより容易となるという利点が生じる。
【００４４】
≪第１実施形態の変形例３≫
図７は第１実施形態の変形例２を示したもので、（ａ）は分解斜視図、（ｂ）は組み立てた状態の斜視図である。
ここでは補助板７１・７２は壁板１５・１６の内側に差し込まれるものではなく、外側に貼着されるものとなっている。
【００４５】
詳しくは、前部補助板７１と後部補助板７２とは、間に収納ケースの幅分だけの間隔を有する底部補助板７３を介して折り曲げ自在に連設され、かつ後部補助板７２の後端縁からはさらに上蓋用折り曲げ線ｅと前蓋用折り曲げ線ｆを介して、上蓋１８ａ、前蓋１８ｂ、差し込み片１８ｃ、からなる蓋部１８が延設されており、前部補助板７１には前記差し込み片１８ｃに対応する差し込み口７１ｃが切り欠かれている構成となっている。
このような構成とすると、閉じた状態のときに、薄手のシート部材でできたケース本体１１が厚手のシート部材でできた補助板７１・７２によって外側を覆われることになるため、収納ケース１０の耐久性が増すという利点が生じる。
【００４６】
≪第２実施形態≫
図８ないし図１１は本願発明にかかる収納ケースの第２実施形態を示しており、図８（ａ）は分解斜視図、（ｂ）は組み立てた状態の斜視図。図９は展開図。図１０は動作説明図の第１段階および第２段階であり、（ａ）は閉じた状態を示す斜視図、（ｂ）はその側面概念図、（ｃ）は上蓋を上げた状態を示す斜視図、（ｄ）はその側面概念図。図１１は動作説明図の第３段階であり、（ａ）は蓋を開いた状態を示す斜視図、（ｂ）は側面概念図である。
【００４７】
図において、符号２０は収納ケース、２１はケース本体を示している。
なお、この第２実施形態の基本的な構成は第１実施形態とほぼ同じであるので、煩雑さを避けるために同一箇所には同一符号を付して説明を省略し、異なる箇所のみ説明をおこなう。これは以降の実施形態も同様とする。
【００４８】
この第２実施形態においては、図９の展開図に示すように、シート部材２１Ｓの壁板１５・１６の前後方向外側寄り端縁の略中央部には蓋部取り出し用の取り出し口２５ａ・２６ａがそれぞれ切り欠かれており、その両側端縁からは補強用の折り込み片２５ｂ・２６ｂが外側にむかってそれぞれ延設されている。この折り込み片２５ｂ・２６ｂはケース本体２１を折り曲げ形成するときに内側に折り込まれ、取り出し口２５ａ・２６ａの周縁角部が折れ曲がったりすることを防ぐための補強用として形成されているものである。
【００４９】
また、ここではシート部材２１Ｓには蓋部は延設されておらず、代わりに別体として蓋部２８が具備され、後壁板１６と後部補助板７２との間に摺動自在に差し込まれてその役割を担うようになっている。
【００５０】
詳しくは、この蓋部２８は、後部補助板７２と略同形に形成された蓋部本体２８Ｈと、該蓋部本体２８Ｈの前後方向外側寄り端縁から折り曲げ線ｅ・ｆを介して延設される上蓋１８ａと前蓋１８ｂおよびロック用の差し込み片１８ｃと、からなり、前後方向内側寄り端縁の略中央部に掴み回避用の切り欠き部２８ｄが切り欠かれたもので、この切り欠き部２８ｄには、後部補助板７２に折り込み線ｈを介して延設された舌片状の掴み部８２ａが収納されるようになっている。
また、前部補助板７１には、前後方向内側寄り端縁から折り込み線ｉを介して折り込み板８１ａが延設されており、ここには、蓋部２８の前蓋１８ｂと差し込み片１８ｃとが差し込まれたときの収納用の切り欠き部８１ｄが切り欠かれている。
【００５１】
かかる構成の第２実施形態の収納ケース２０は以下のようにして組み合わされる。
【００５２】
図８に示すように、まず、シート部材２１Ｓを折り曲げてケース本体２１を形成する。次に、このケース本体２１の前壁板１５の内側に、折り込み板８１ａを前壁板１５側に折り込んだ状態の前部補助板７１を差し込み、同様に、掴み部８２ａを後壁板１６とは反対の側に折り込んだ状態の後部補助板７２を後壁板１６の内側に差し込む。最後に、後壁板１６と後部補助板７２との間に、上蓋１８ａと前蓋１８ｂとを後壁板１５側に折り曲げた状態の蓋部本体２８Ｈを差し込む。
【００５３】
以下、こうして組み合わされた収納ケース２０の使用方法を、図１０および１１に基づき説明する。
【００５４】
〈第１段階として、閉じた状態にあるとき〉
図１０（ａ）や（ｂ）に示すように蓋部２８の前蓋１８ｂと差し込み片１８ｃとは、前壁板１５と前部補助板７１との間に差し込まれており、収納ケース２０は開くことのできないロック状態にある。
【００５５】
〈第２段階として、この収納ケース２０を開く場合〉
まず、壁板１５・１６の下部を一方の手で掴み、ケース本体２１を挟持する。つぎに、該壁板１５・１６の上部にそれぞれ切り欠かれている取り出し口２５ａ・２６ａから覗いている前蓋１８ｂと蓋本体２８Ｈの上部とを他方の手で摘んで引き上げる。そして、前蓋１８ｂの先端縁に形成されている差し込み片１８ｃが前壁板１５と前部補助板７１との間から引き出されて露出した状態になったとき、収納ケース２０はロックが解除された状態となって収納ケース２１を開くことができるようになる。
【００５６】
ちなみに、蓋部２８の下部に設けている切り欠き部２８ｄは、壁板１５・１６の下部を掴んだ際に蓋本体２８Ｈが上から押圧されて蓋部２８が引き上げられなくなることを防ぐために掴み回避用として役割を果すものであり、この切り欠き部２８ｄを切り欠いたことによって生ずる段差を補填する役割を果すものとして後部補助板７２には掴み部８２ａが設けられている訳である。
【００５７】
なお、前部補助板７１から延設する折り込み板８１ａに前蓋１８ｂと差し込み片１８ｃとを収納するための収納用の切り欠き部８１ｄが設けられている理由も、前蓋１８ｂと差し込み片１８ｃとを前壁板１５の内側に差し込んだときに膨らみが生じるのを防ぐためであり、これらの措置は、美観の向上に役立つとともに、段差部分のエッジに薄手のシート部材でできたケース本体２１が当接して擦り切れるのを防ぐ効果をも有している。
【００５８】
また、壁板１５・１６に切り欠かれた取り出し口２５ａ・２６ａから覗く前蓋１８ｂおよび蓋本体２８Ｈの当該箇所には、摘み上げ作業をより簡単にするためのすべり止めとして、エンボス加工などによる幅方向に延びる凸状を幾条か形成しておくようにしてもよい。
【００５９】
〈第３段階として、全開状態で記録ディスクＤの抜き差しをおこなう場合〉
これは第１実施形態と特に変わるところはない。なお、前部補助板７１は折り返し板８１ａによって、後部補助板７２は重ねられた蓋部本体２８Ｈによって、厚みおよび重さが実質２倍見当となるため、これらの成形材料としては第１実施例より薄いものを使用することもできる。
【００６０】
〈第４段階として、収納ケースを閉じる場合〉
壁板１５・１６を閉じた後、前壁板１５と前部補助板７１との間に前蓋１８ｂと差し込み片１８ｃとを差し込んでいく訳であるが、この場合、最初に差し込み片１８ｃで前壁板１５の取り出し口２５ａから覗いている前部補助板７１の上部を内側に押しこむようにして間隙を広げておくと差し込みが容易となる。あとはそのまま前蓋２８ｂを差し込んでいけば収納ケースがロック状態となって不用意に開くことはない。
【００６１】
このように、本第２実施形態の収納ケース２０は、蓋部２８を上下にスライドさせてロック作業をおこなうので、第一実施形態が前蓋１８ｂをやや屈曲させながら差し入れなくてはならないのに対して、このような作業を必要としない分だけ曲げによる損傷が少なくなり、収納ケースの耐久性が増すという利点がある。
【００６２】
≪第３実施形態≫
図１２ないし図１６は本願発明にかかる収納ケースの第３実施形態を示しており、図１２は分解斜視図。図１３は展開図。図１４は組立前の状態を示す斜視図斜視図。図１５は組立が完成した状態を示す斜視図。図１６は収納ケースを閉じた状態を示す斜視図である。
【００６３】
図において、符号３０は収納ケース、３１はケース本体、３９は補助部材を示している。
【００６４】
先の実施形態では挟持部１２はシート部材１１Ｓ・２１Ｓの中央部を蛇腹状に折り曲げることによって壁板１５・１６や支持部１７と一体的に作成されるものとしたが、この第３実施形態ではこれらは別体として形成されている。また、逆に補助板７１・７２は別体のものではなく、補助部材３９として一体的に形成されるものとなっている。
【００６５】
以下、図に基づき詳しく説明する。
【００６６】
図１３の展開図に示すように、挟持部３２および底側連結部３３は、挟持板３２ａ・３２ｂおよび底側連結板３３ａ・３３ｂで構成される略Ｈ字形状の合成樹脂製のシート部材３４Ｓを幅方向略中央に設けられた折り込み線ｊに沿って二つ折りにすることによって形成されており、壁板１５・１６と支持板１７は、これとは別の一枚の合成樹脂製シート部材３１Ｓで一体的に形成されている。また、この実施形態では、さらに別体として図１２の分解斜視図に示すような合成樹脂材からなる略コ字形状の枠体３８が支持部補強用として設けられている。
【００６７】
また、補助部材３９は、前部補助板７１と後部補助板７２とが、間に底壁９３とこれの前後方向両端縁に設けられたヒンジ部ｍ・ｍとを介して開閉自在に連設され、さらに前部補助板７１からはヒンジ部ｎを介して前部折り込み板９１ａが、後部補助板７２は後方にさらに延出したのちに前部補助板７１と同様に後端縁からヒンジ部ｐを介して後部折り込み板９２ａが、それぞれ延設されたものとなっている。
【００６８】
さらに、このうち後部折り込み板９２ａには、前記の延出部分が厚み方向外側に向かって湾曲する膨出部９２ｂとして形成されており、これの内側にタイトル名などを記したラベルＬを収納することができるようになっている。また、この膨出部９２ｂの前後方向内側寄り中央部にはロック用の差し込み口９２ｃが穿設されている。そして、前部折り込み板９１ａには、前記の差し込み口９２ｃに対応して前後方向外側に向かう略コ字形状の切り欠きが入れられ、この切り欠きの内側部分が前部折り込み板９１ａを折り込んだときに突出してロック用の係止片９１ｃとなって差し込み口９２ｃに嵌合挿入されるようになっている。
【００６９】
なお、補助部材３９の材料は特に限定されるものではないが、一体成型が可能で折り曲げ特性に優れるものとして合成樹脂材のポリプロピレンなどが望ましい。
【００７０】
本第３実施形態の収納ケース３０は、枠体３８の、外周縁部にシート部材３１Ｓの前後方向中央部を熱溶着し、内周縁部に挟持部３２と底側連結部３３の外周縁部を熱溶着することでケース本体３１を形成し、該ケース本体３１の下面に補助板本体３９を宛てがい、前壁板１５と後壁板１６とをそれぞれ挟み込むようにして前後の折り込み板９１ａ・９２ａを折り込むことによって組み立てられている。
【００７１】
こうした構成をもつ本実施形態は、成型材料に合成樹脂を用いているため、その弾性復元力を利用して壁板１５・１６を閉じ合わせるだけで差し込み口９２ｃに係止片９１ｃが嵌合してロックすることができ、操作が簡単で使い勝手がよいという利点がある。
【００７２】
なお、シート部材３１Ｓ・３４Ｓと枠体３８とを接着する方法は熱溶着に限定されるものではなく、例えば接着剤によるものであってもよい。
【００７３】
また、前部補助板９１と後部補助板９２の幅をケース本体よりも大きく設定し、幅方向に延出した部分から側壁をそれぞれ立設させて収納ケース３０を閉じたときにこれらが合わさって側面が密閉されるようにしてもよい。このような構成をとることによって、防塵性が高まるという利点が生じる。
【００７４】
さらに、ここでの挟持部３２は、底側連結部３３の幅方向両端部からそれぞれ立設する略コ字形状のものとなっているが、
これに限定されるものではなく、例えば底側連結部３３を形成せず、両側に設けられた挟持部３２をそれぞれ別体のものとして枠体３８に取り付けたものであってもよい。こうした構成であっても、本実施形態では挟持部３２は枠体３８によって支持されているため幅方向外側に倒れることはない。
【００７５】
なお、ここまでに示した実施形態は全て収納ケースにロック機構を設けたものとしているが、これに限定されるものではなく、例えば収納ケースにはロック機構を設けず、別途に書籍を収納するハードケースのように一側壁が開口する箱体を具備し、そこに収納ケースを収納するようにしたものであってもよい。また、本発明は記録ディスクの収納に限らず、写真、小冊子、記念プレート、等の薄板形状の物品収納ケースとして利用することもできる。
【００７６】
以上、説明したように、本発明によれば、記録ディスクの周縁部を挟持するタイプの薄型収納ケースでありながらも前後の壁板を大きく開くことができるうえ、開いた状態になったときには記録ディスクを保持している挟持部が立設するので、容易に記録ディスクを出し入れすることができる。また、構造が簡単なので低コストで製造することができるという利点をも有している。
【符号の説明】
【００７７】
１０、２０、３０          収納ケース
１１、２１、３１          ケース本体
１１Ｓ、２１Ｓ、３１Ｓ    シート部材  
１２                      挟持部
１３                      底側連結部
１５                      前壁板
１６                      後壁板
１７                      支持部
１８、２８                蓋部
７１                      前部補助板
７２                      後部補助板
【図１】
2014015216.tif 000003
【図２】
2014015216.tif 000004
【図３】
2014015216.tif 000005
【図４】
2014015216.tif 000006
【図５】
2014015216.tif 000007
【図６】
2014015216.tif 000008
【図７】
2014015216.tif 000009
【図８】
2014015216.tif 000010
【図９】
2014015216.tif 000011
【図１０】
2014015216.tif 000012
【図１１】
2014015216.tif 000013
【図１２】
2014015216.tif 000014
【図１３】
2014015216.tif 000015
【図１４】
2014015216.tif 000016
【図１５】
2014015216.tif 000017
【図１６】
2014015216.tif 000018
【手続補正書】
【提出日】平成24年9月14日(2012.9.14)
【手続補正１】
【補正対象書類名】特許請求の範囲
【補正対象項目名】請求項１
【補正方法】変更
【補正の内容】
【請求項１】
記録ディスクを収納するためのケースであって、
一辺が開閉自在に連設された略矩形状の二枚の壁板と、
該二枚の壁板の連設部両端側にそれぞれ立設された一対の対向する挟持部と、
該一対の挟持部の各々の外側端縁から前記二枚の壁板の側端縁に渡ってそれぞれ一対ずつ架設された支持板と、からなり、
前記挟持部は、柔軟性を有する素材からなるニ枚の挟持板で構成され挟持部間に収納された記録ディスクの周縁部を両面から支持し、かつ前記二枚の壁板が閉じた状態にあるときにはこの二枚の壁板によって押圧されて記録ディスクを挟持固定するものであって、
前記支持板は、その外周縁略中央部から前記挟持部の外側端縁と壁板の側端縁との交点に向かって斜め方向に折り込み線が設けられ、前記二枚の壁板が開いた状態にあるときには前記一対の挟持部を前後方向両側からそれぞれ引っ張ることによってこれを起立状態に支持し、閉じた状態にあるときには、前記折り込み線の位置に沿って折り込まれることによって二枚の壁板間に収容されることを特徴とする収納ケース。
【手続補正２】
【補正対象書類名】明細書
【補正対象項目名】０００７
【補正方法】変更
【補正の内容】
【０００７】
かかる目的を達成するために本発明の収納ケースは、記録ディスクを収納するためのケースであって、
一辺が開閉自在に連設された略矩形状の二枚の壁板と、
該二枚の壁板の連設部両端側にそれぞれ立設された一対の対向する挟持部と、
該一対の挟持部の各々の外側端縁から前記二枚の壁板の側端縁に渡ってそれぞれ一対ずつ架設された支持板と、からなり、
前記挟持部は、柔軟性を有する素材からなるニ枚の挟持板で構成され挟持部間に収納された記録ディスクの周縁部を両面から支持し、かつ前記二枚の壁板が閉じた状態にあるときにはこの二枚の壁板によって押圧されて記録ディスクを挟持固定するものであって、
前記支持板は、その外周縁略中央部から前記挟持部の外側端縁と壁板の側端縁との交点に向かって斜め方向に折り込み線が設けられ、前記二枚の壁板が開いた状態にあるときには前記一対の挟持部を前後方向両側からそれぞれ引っ張ることによってこれを起立状態に支持し、閉じた状態にあるときには、前記折り込み線の位置に沿って折り込まれることによって二枚の壁板間に収容されることを特徴としている。